(57)【要約】【課題】噴霧器容器の加圧は、手動式では煩雑で、肉体的疲労を来しやすく、動力コンプレッサーは騒音も伴い高価である。そこで、この発明は身近な水道という圧力源を用いて、簡便に噴霧器容器圧を確保することを課題とする。【解決手段】噴霧器容器の加圧に、水道水の圧力を利用する方法として、　噴霧器容器内を２分し、一方に噴霧液を入れ、他方に水道を連結する。二分する隔壁或いは隔膜は、噴霧液と水の混合を防ぎ、出来るだけ減弱することなく水道水圧を継続的に噴霧液に伝達し、噴霧液を導管を通じて噴霧ノズルに送る機構を特徴とする噴霧器容器加圧装置である。【選択図】図１
2004130286.tif 000002
【特許請求の範囲】
【請求項１】
噴霧器容器（３）内を２分し、一方に噴霧液を入れ噴霧液部（４）とし、他方に水道（６）を連結し水道水部（７）とする。二分する隔壁（５）或いは隔膜は、水不透過性で、水道水部（７）の圧を可及的に低下なく継続的に噴霧液部（４）に伝達可能とする。噴霧液部（４）の噴霧液を、流出管（８）、容器外導管（９）を通じ、噴霧ノズル（１１）に送る機構を特徴とする噴霧器容器加圧装置。
【請求項２】
「請求項１」記載の噴霧器容器加圧装置であって、シリンダー状噴霧器容器（３）が、ピストン状隔壁（５）によって、水道（６）が連結された水道水部（７）と、その圧が良く伝達され、噴霧液を満たす噴霧液部（４）に二分される。噴霧液部（４）の噴霧液を流出管（８）、容器外導管（９）を通じて噴霧ノズル（１１）に送る機構を特徴とする噴霧器容器加圧装置。
【請求項３】
「請求項１」記載の噴霧器容器加圧装置であって、噴霧器容器（１３）内に水不透過で柔軟性を有し圧伝達可能な袋（１５）を入れ、噴霧器容器（１３）内を袋（１５）の内外に二分し、袋（１５）外は水道（１２）に連結し水道水部（１４）とし、その圧が可及的に低下無く伝達され、薬液を満たす袋（１５）内を噴霧液部（１６）とす。袋（１５）の口は容器蓋（１８）に密着されている。噴霧液部（１６）の噴霧液は、流出管（１７）内に流入し、容器外導管（１９）を通じて、噴霧ノズル（２１）に至る機構を特徴とする噴霧器容器加圧装置。
【発明の詳細な説明】
【０００１】
【発明の属する技術分野】
この発明は噴霧器の噴霧器容器に関する。特に本発明は水道圧を容器加圧に利用した噴霧器容器に関する。
【０００２】
【従来の技術】
従来、庭木などに使用される噴霧器の噴霧液容器の加圧方法は、手動空気入れ組込様式による蓄圧、あるいは、電動コンプレッサー、小型エンジンによるコンプレッサーが使用されている。
【０００３】
【発明が解決しようとする課題】
しかしながら、従来技術の手動空気入組込み様式によれば、反復する空気蓄圧は煩雑であり、また操作により肉体的疲労を来す。また、電動コンプレッサー組込は、電源を要し、また、高い圧力を得るにはバッテリー式並びに小型エンジン式共に騒音も伴い、また高価である。そこで、この発明は身近な水道という圧力源を用いて、簡便に噴霧器容器圧を確保することを課題とする。
【０００４】
【課題を解決するための手段】
【０００５】
以上の課題を解決するために、「請求項１」の発明は、身近な水道という圧力源を利用する方法として、噴霧器容器（３）内を２分し、一方に噴霧液を入れ噴霧液部（４）とし、他方に水道（６）を連結し水道水部（７）とする。二分する隔壁（５）或いは隔膜は、水不透過性で、水道水部（７）の圧を可及的に低下なく継続的に噴霧液部（４）に伝達可能とする。噴霧液部（４）の噴霧液を流出管（８）、容器外導管（９）を通じ、噴霧ノズル（１１）に送る機構を特徴とする噴霧器容器加圧装置である。
【０００６】
また、「請求項２」の発明は、請求項１記載の噴霧器容器加圧装置の一法であって、シリンダー状噴霧器容器（３）が、ピストン状隔壁（５）によって、水道（６）が連結された水道水部（７）と、その圧が良く伝達され、噴霧液を満たす噴霧液部（４）に二分される。噴霧液部（４）の噴霧液を流出管（８）から容器外導管（９）を通じて噴霧ノズル（１１）に送る機構を特徴とする噴霧器容器加圧装置である。
【０００７】
また、「請求項３」の発明も、「請求項１」記載の噴霧器容器加圧装置の一法であって、噴霧器容器（１３）内に水不透過で柔軟性を有し圧伝達可能な袋（１５）を入れ、噴霧器容器（１３）内を袋（１５）の内外に二分し、袋（１５）外は水道（１２）に連結し水道水部（１４）とし、その圧が可及的に低下無く伝達され、薬液を満たす袋（１５）内を噴霧液部（１６）とす。袋（１５）の口は容器蓋（１８）に密着されている。噴霧液部（１６）の噴霧液は、流出管（１７）内に流入し、容器外導管（１９）を通じて、噴霧ノズル（２１）に至る機構を特徴とする噴霧器容器加圧装置である。本発明の実施にあたり、材質はその構造に応じたものとし、特に限定されない。
【０００８】
【発明の実施の形態】
以下に、実施例に基づいて本発明をより詳細に説明するが、本発明はこれらの実施例によって限定されるものではない。
【０００９】
【実施例１】
図１は、「請求項１」記載の発明原理を基にした噴霧器容器加圧装置の模式断面図である。噴霧器容器（３）を二分する方法として、噴霧器容器（３）の内面はシリンダー状とし、圧伝達可能な、圧による移動がスムースなピストン状隔壁（５）によって噴霧液部（４）と水道水部（７）に分けられる。噴霧液部（４）には、噴霧液注入部（２）から使用予定の噴霧液量が注入される。水道水部（７）には、水道（６）が接続され、水道水が圧入され、水道水圧がピストン状隔膜（５）を介して噴霧液部（４）に伝えられ、水道圧を源とする圧を保持した噴霧液は容器蓋（１）の流出管（８）から容器外導管（９）を通じて開閉器（１０）を経て噴霧ノズル（１１）に達し噴霧される。
【００１０】
本構造では、シリンダーとピストン状構造のため適切な材質を用いると耐久性が増す。
【００１１】
「実施形態の効果」
この実施形態によれば、水道圧が噴霧液部に効果的に伝達される。また、適切な材質を用いることにより耐久性あるものとできる。
【００１２】
【実施例２】
図２も、「請求項１」記載の発明原理の基にした噴霧器容器加圧装置の模式断面図である。噴霧器容器（１３）内に水不透過で柔軟性を有し圧伝達可能な袋（１５）を入れ、噴霧器容器（１３）内を袋（１５）の内外に二分し、袋（１５）外は水道（１２）に連結し水道水部（１４）とし、その圧が可及的に低下無く伝達され、薬液を満たす袋（１５）内を噴霧液部（１６）とす。袋（１５）の口は容器蓋（１８）に密着されている。噴霧液部（１６）の噴霧液は、閉塞防止の側面に割のある流出管（１７）内に流入し、容器外導管（１９）を通じて、噴霧ノズル（２１）に至る機構を特徴とする噴霧器容器加圧装置である。
【００１３】
水道圧が高すぎる場合には水道連結部（１２）に調節コックを装着する。
【００１４】
袋（１５）は取り替えできるものとする。
【００１５】
「実施形態の効果」
この実施形態によれば、機構が単純であり、袋（１５）は安価に、取り替え容易なものとできる。
【００１６】
【発明の効果】
以上説明したように、この発明によれば、身近な水道圧という圧力源を用いて、噴霧器容器圧を確保でき、快適に噴霧することが出来る。機構も単純なため装置が安価に製造出来る。
【００１７】
【図面の簡単な説明】
【図１】この発明の実施例１の形態を示す断面図である。
【図２】この発明の実施例２の形態を示す断面図である。
【符号の説明】
１　容器蓋
２　噴霧液注入口
３　噴霧器容器
４　噴霧液部
５　ピストン状隔壁
６　水道
７　水道水部
８　流出管
９　容器外導管
１０　調節コック
１１　噴霧ノズル
１２　水道
１３　噴霧器容器
１４　水道水部
１５　袋
１６　噴霧液部
１７　流出管
１８　容器蓋
１９　容器外導管
２０　調節コック
２１　噴霧ノズル
２２　噴霧液注入部
【図１】
2004130286.tif 000003
【図２】
2004130286.tif 000004